(57)【要約】  消毒システムを含む超音波撮像システム（１００）が開示されている。消毒システムは１つ又はそれよりも多くの紫外線光源（１１５）を含んでよい。ＵＶ光源はディスプレイ（１０５）に含められてよい。消毒システムはディスプレイが超音波撮像システムの制御パネルと平行であるときに作動するように構成されてよい。消毒システムは超音波撮像システムの消毒状態の表示を提供することがある。
2018528000.tif 000002
【特許請求の範囲】
【請求項１】
ディスプレイと、
制御パネルと、
前記ディスプレイに連結され、制御信号に応答して電源がオンになるように構成される、紫外線（ＵＶ）光源と、
前記ディスプレイに連結され、前記ディスプレイを位置付けるように構成される、関節作動システムと、
前記ＵＶ光源に連結されるコントローラとを含み、
該コントローラは、前記制御信号を提供して、前記ディスプレイが消毒位置に位置付けられていることに応答して前記ＵＶ光源の電源をオンにするように構成される、
超音波システム。
【請求項２】
前記コントローラに連結される位置センサを更に含み、該位置センサは、前記ディスプレイの位置情報を提供するように構成される、請求項１に記載の超音波システム。
【請求項３】
前記消毒位置は、前記制御パネルと平行であり、前記制御パネルの上にある、請求項１に記載の超音波システム。
【請求項４】
前記コントローラに連結される運動センサを更に含み、該運動センサは、前記制御パネルと前記ディスプレイとの間の動きを検出するように構成され、
前記コントローラは、前記運動センサが前記動きを検出するときに、前記制御信号を提供して、前記ＵＶ光源の電源をオフにするように更に構成される、
請求項１に記載の超音波システム。
【請求項５】
前記コントローラに連結されるタッチセンサを更に含み、該タッチセンサは、前記制御パネルに対するタッチを検出するように構成され、
前記コントローラは、前記タッチセンサが前記タッチを検出するときに、前記制御信号を提供して、前記ＵＶ光源の電源をオフにするように更に構成される、
請求項１に記載の超音波システム。
【請求項６】
前記コントローラに連結されるタイマを更に含み、該タイマは、消毒サイクルの時間を設定するように構成され、
前記コントローラは、前記消毒サイクルの時間の後に、前記制御信号を提供して、前記ＵＶ光源の電源をオフにするように更に構成される、
請求項１に記載の超音波システム。
【請求項７】
前記ディスプレイにグラフィックを提供するように構成されるユーザインターフェースを更に含む、請求項１に記載の超音波システム。
【請求項８】
前記コントローラは、前記ユーザインターフェースに消毒状態を提供するように更に構成され、前記ディスプレイに提供される前記グラフィックは、少なくとも部分的に前記消毒状態に基づく、請求項８に記載の超音波システム。
【請求項９】
前記制御パネルの上に第２のＵＶ光源を更に含む、請求項１に記載の超音波システム。
【請求項１０】
前記ＵＶ光源は、ＬＥＤである、請求項１に記載の超音波システム。
【請求項１１】
前記制御パネルに隣接する器具ホルダを更に含み、該器具ホルダは、該器具ホルダの内部を照らすように構成される第２のＵＶ光源を含む、請求項１に記載の超音波システム。
【請求項１２】
前記制御パネルは、
キーボードと、
該キーボードと一体化されるトラックボールと、
前記キーボードの下の第２のＵＶ光源とを含み、該第２のＵＶ光源は、前記トラックボールを照らすように構成される、
請求項１に記載の超音波システム。
【請求項１３】
超音波撮像システムを消毒する方法であって、
位置センサを用いて、ディスプレイが消毒位置にあることを検出すること、
紫外線（ＵＶ）光源に制御信号を提供して、前記ＵＶ光源の電源をオンにすること、
消毒サイクル時間に亘ってタイマを作動させること、及び
前記ＵＶ光源に前記制御信号を提供して、前記消毒サイクル時間の完了に応答して前記ＵＶ光源の電源をオフにすることを含み、
前記制御信号は、コントローラによって提供される、
方法。
【請求項１４】
消毒された表示をユーザインターフェースに送信することを更に含む、請求項１３に記載の方法。
【請求項１５】
前記超音波撮像システムの動き又はタッチのうちの少なくとも１つを検出すること及び表示を送信して前記消毒された表示をオフにすることを更に含む、請求項１４に記載の方法。
【請求項１６】
少なくとも部分的に前記超音波システムの動き又はタッチのうちの少なくとも１つを検出することに応答して、前記消毒サイクル時間の終了前に前記ＵＶ光源の電源をオフにすることを更に含む、請求項１３に記載の方法。
【請求項１７】
消毒サイクル中断表示をユーザインターフェースに送信することを更に含む、請求項１６に記載の方法。
【請求項１８】
前記消毒サイクル時間を設定することを更に含む、請求項１３に記載の方法。
【請求項１９】
消毒ログを前記ディスプレイの上に表示することを更に含む、請求項１３に記載の方法。
【請求項２０】
前記超音波撮像システムから外部コンピュータシステムに消毒情報を送信することを更に含む、請求項１３に記載の方法。
【発明の詳細な説明】
【背景技術】
【０００１】
医療デバイスは、ウイルス及び細菌のような感染因子による汚染を受けやすい。患者と直接的に接触しない医療デバイスさえも汚染されることがある。例えば、技術者が患者に触れ、次に、制御パネルに触れると、医療デバイス機器（例えば、超音波撮像システム、パルス酸素濃度計、ＩＶポンプ）上の制御パネルが汚染されることがある。技術者は、他の場所（例えば、トイレ、食堂、他の制御パネル）から感染因子を移すことによって制御パネルを汚染させることもある。これは医療デバイスを介して患者に感染因子を移転させるリスクを増大させることがある。
【０００２】
制御パネル及び医療デバイスの他の部分は、交差汚染を避けるために定期的に消毒される。医療デバイスを消毒すること(disinfecting)は、消毒液で医療デバイスを洗浄することによって達成されることがある。消毒液を噴霧して拭き取ってよく、或いは医療器具を拭き取るために使用する予め浸したタオルに消毒液を含めてよい。消毒液は効果的であるが、有毒であり、医療デバイスの表面を劣化させることがある。
【発明の概要】
【０００３】
本開示の実施形態に従った例示的な超音波システムは、ディスプレイと、制御パネルと、ディスプレイに連結される紫外線（ＵＶ）光源であって、制御信号に応答して電源がオンになるように構成されてよいＵＶ光源と、ディスプレイを位置付けるように構成されてよい、ディスプレイに連結される関節作動システムと、ＵＶ光源に連結されるコントローラとを含み、コントローラは、制御信号を提供して、ディスプレイが消毒位置に位置付けられていることに応答してＵＶ光源の電源をオンにするように構成されてよい。
【０００４】
本開示の実施形態に従った例示的な超音波撮像システムを消毒する方法は、位置センサを用いて、ディスプレイが消毒位置にあることを検出すること、紫外線（ＵＶ）光源に制御信号を提供して、ＵＶ光源の電源をオンにすること、消毒サイクル時間に亘ってタイマを作動させること、及びＵＶ光源に制御信号を提供して、消毒サイクル時間の完了に応答してＵＶ光源の電源をオフにすることを含み、制御信号は、コントローラによって提供されてよい。
【図面の簡単な説明】
【０００５】
【図１】本開示の実施形態に従った消毒システムを含む超音波システムの概略図である。
【０００６】
【図２】図１に示す消毒システムを含む超音波システムの概略図である。
【０００７】
【図３】本開示の実施形態に従った消毒システムの機能ブロック図である。
【０００８】
【図４】本開示の実施形態に従ったユーザインターフェースのグラフィカルディスプレイの例である。
【０００９】
【図５】本開示の実施形態に従ったユーザインターフェースのグラフィカルディスプレイの例である。
【００１０】
【図６】本開示の実施形態に従ったユーザインターフェースのグラフィカルディスプレイの例である。
【００１１】
【図７】本開示の実施形態に従った方法のフローチャートである。
【００１２】
【図８】本開示の実施形態に従った方法のフローチャートである。
【発明を実施するための形態】
【００１３】
特定の例示的な実施形態の以下の記述は、本質的に単なる例示であり、本発明又はその用途又は使用を限定することを決して意図しない。本システム及び方法の実施形態の以下の詳細な記述では、本明細書の一部を形成する添付の図面を参照する。図面には、記載するシステム及び方法が実施されてよい特定の実施形態が例示されている。これらの実施形態は、当業者が本開示のシステム及び方法を実施することを可能にするよう十分に詳細に記載されている。他の実施形態が利用されてよいこと並びに本システムの精神及び範囲を逸脱せずに構造的及び論理的な変更が行われてよいことが理解されるべきである。
【００１４】
従って、以下の詳細な記述は、限定的な意味で解釈されるべきでなく、本システムの範囲は、添付の特許請求の範囲によってのみ定められる。本明細書の図中の参照番号の先頭の（複数）桁は、典型的に、多数の図に現れる同一のコンポーネント（構成部品）が同じ参照番号によって特定されることを除いて、図番に対応している。その上、明瞭性の目的のために、特定の構成(features)の詳細な記述は、本システムの記述を曖昧にしないよう、それらが当業者に明らかであると思われるときには、議論されない。
【００１５】
超音波撮像システムは、異なる場所、例えば、病院内の異なる検査室に搬送されることがあるカート上の携帯用ユニットであってよい。超音波撮像システムは、超音波撮像システムを操作するための制御パネルと、超音波撮像システムで取得された画像を見るためのディスプレイとを含んでよい。ディスプレイは、異なる位置に移動されてよいフラットパネルディスプレイであってよい。検査を完了した後、超音波検査者は、ディスプレイを制御パネルと平行な位置に動かすことがある。ディスプレイは、１以上（１つ又はそれよりも多く）の紫外線（ＵＶ）光源を含んでよく、ＵＶ光源は、ディスプレイが平行な位置にあるときに電源が入れられてよい。ＵＶ光源は、超音波撮像システムの制御パネル及び／又は他のコンポーネントを消毒する(disinfect)ことがある。知られているように、ＵＶ光は、細菌及びウイルスのような生物を殺すことによって効果的な消毒剤となることがある。消毒後、超音波検査者は、超音波検査者が見ることができる位置にディスプレイを戻し、他の検査を行うことがある。制御パネルの消毒は、検査間の交差汚染を低減させ或いは排除することがある。
【００１６】
図１は、本開示の少なくとも１つの実施形態に従った消毒システムを含む超音波撮像システム１００の概略図である。超音波撮像システムは、ユーザによって位置決めされてよいディスプレイ１０５を含んでよい。幾つかの実施形態において、ディスプレイ１０５は、フラットパネルディスプレイであってよい。ディスプレイ１０５は、広い範囲の視認位置(viewing  positions)に亘って見られるように関節作動されてよい。関節作動は、カウンターウェイト支援４バーリンクを備える２アーム関節作動システム１１０によってもたらされてよい。ディスプレイ１０５は、周辺把持面を有してよく、周辺把持面は、ディスプレイ１０５を保持するのを容易にすることがあり、片手で再配置されるのを容易にすることがある。本開示の１以上の実施形態を実施するために使用されてよい関節作動フラットパネルディスプレイを有する超音波システムの例を欧州特許第１７１３３９６号に見出すことができる。ディスプレイ１０５は、超音波撮像システムの制御パネル１２０と平行に位置付けられてよい。平行な位置は、以下に更に記載するように、超音波撮像システムを場所の間で移動させるのを容易にすることがあり、且つ／或いは制御パネル１２０を消毒するのを容易にすることがある。制御パネル１２０は、超音波撮像システム１００を制御するための１以上の制御要素を含んでよい。図１に示す実施形態において、制御パネル１２０は、キーボード１２１と、トラックボール１２２と、制御ノブ及びスイッチ１２４と、フラットパネルタッチスクリーン１２３とを含む。制御パネル１２０の他の実施形態は、より多くの又はより少ない制御要素を含んでよい。制御パネル１２０の他の実施形態は、図１に示す要素と異なる要素を含んでよい。例えば、制御パネル１２０は、トラックパッド、１以上のロッカースイッチ、及び／又はマイクロホンを含んでよい。
【００１７】
ディスプレイ１０５は、１以上のＵＶ光源１１５を含んでよい。例えば、図１の実施形態に示すように、ＵＶ光源１１５は、ディスプレイ１０５のスクリーン部分１０６の周囲に沿って配置されてよい。幾つかの実施形態において、ＵＶ光源１１５は、スクリーン部分１０６の内部及び／又は背後に埋め込まれてよい。ＵＶ光源１１５の例は、ＬＥＤ、パルスキセノンランプ、及び蛍光灯を含んでよいが、これらに限定されない。ディスプレイ１０５は、１以上の種類のＵＶ光源１１５を含んでよい。ＵＶ光源１１５は、約１００〜２８０ｎｍ、２００〜３２０ｎｍ、１００〜３２０ｎｍ、２５０〜２６０ｎｍ、及び／又は細菌やウイルスのような生物を殺すのに適した他の範囲内のＵＶ波を放射してよい。幾つかの実施形態において、ＵＶ光源１１５は、２，０００〜１０，０００μＷ／ｃｍ２のフルーエンス（流速量）を有するＵＶ光を生成することがある。
【００１８】
図２は、ディスプレイ１０５が制御パネル１２０と平行な位置にある本開示の少なくとも１つの実施形態に従った超音波撮像システム１００の概略図である。ディスプレイ１０５が制御パネル１２０と平行な位置にあるとき、ＵＶ光源１１５は、電源が入れられるときに制御パネル１２０を照らすことがある。ＵＶ照明は、ライン２０５によって描かれている。ＵＶ照明は、キーボード１２１、トラックボール１２２、制御ノブ及びスイッチ１２４、並びにタッチスクリーン１２３のような制御要素を含む、ＵＶ照明に晒される制御パネル１２０の表面を消毒することがある。幾つかの実施形態において、ＵＶ照明は、消毒のために超音波撮像システム１００の他の部分を照らしてよい。例えば、ＵＶ照明は、ハンドル１２５、超音波プローブ（図示せず）、器具ホルダ１３０、超音波プローブケーブル（図示せず）、ケーブルホルダ（図示せず）、ペダル１３５、及び／又はそれらの組み合わせを消毒することがある。
【００１９】
図１及び図２の両方を参照すると、幾つかの実施形態において、超音波撮像システム１００は、ディスプレイ１０５以外のＵＶ光源１１５を含んでよい。例えば、ＵＶ光源１１５は、超音波撮像システムの器具ホルダ１３０内に含められてよい。ＵＶ光源は、器具ホルダ１３０及び／又は器具ホルダ１３０内の器具の部分（例えば、超音波プローブのハンドル）の少なくとも部分を照明し且つ消毒してよい。他の例では、ＵＶ光源１１５は、（図１及び図２では見えない）制御パネル１２０のキーボード１２１の下に含められてよい。ＵＶ光源１１５は、制御パネル１２０のトラックボール１２２の下面を照明することがある。これはトラックボール１２２の全ての表面を消毒するのを容易にすることがある。他の例において、ＵＶ光源１１５は、制御パネル及び／又は制御パネルの周囲内に含められてよい。これらのＵＶ光源は、消毒のためにディスプレイ１０５を照らしてよい。
【００２０】
図３は、本開示の少なくとも１つの実施形態に従った超音波撮像システム１００のような超音波撮像システムの消毒システム３００の機能ブロック図である。消毒システム３００は、ディスプレイの位置を検出することがある位置センサ３０５を含んでよい。幾つかの実施形態において、位置センサ３０５は、ディスプレイの関節作動システム内に配置されてよい。位置センサ３０５は、検出した位置に関する情報を超音波撮像システムのコントローラ３１０に提供してよい。コントローラ３１０は、ハードウェア、ソフトウェア、又はそれらの組み合わせとして実施されてよい。例えば、幾つかの実施形態において、コントローラ３１０は、論理回路及び計算回路のような回路を含む集積回路であってよい。コントローラ３１０の回路は、様々な動作を実行するよう作動し、消毒システム３００の他の回路に制御信号を提供するよう作動してよい。幾つかの実施形態において、コントローラ３１０は、多数のコントローラとして実装（実施）されてよい。コントローラ３１０は、ＵＶ光源３１５の動作を制御してよい。コントローラ３１０は、ＵＶ光源３１５に１以上の制御信号を提供しよてい。ＵＶ光源３１５は、１以上の制御信号に応答して電源がオン及び／又はオフしてよい。例えば、ディスプレイが制御パネルと平行な位置にないとき、コントローラ３１０は、ＵＶ光源３１５の電源がオンになるのを防止してよく、及び／又は、コントローラ３１０は、ＵＶ光源３１５を停止させてよい。これは、ディスプレイがユーザ及び／又は患者の目及び／又は皮膚を不注意に照らして刺激又は不快感を引き起こすことがある直立位置にあるときに、ＵＶ光源３１５の電源がオンになるのを防止する。幾つかの実施形態において、ＵＶ光源３１５は、ＵＶ光源１１５として実装（実施）されてよい。
【００２１】
ＵＶ光源３１５は、制御パネル及び／又は超音波撮像システムの他の部分をある時間期間に亘って照らして、ＵＶ光源３１５によって照らされる表面を消毒してよい。その時間期間は、数秒、３０秒、１分、数分、１５分、１時間、又は数時間であってよい。ある例示的な実施形態において、その時間期間は２分である。ＵＶ光源３１５は、時間が経過した後に出力低下（パワーダウン）することがある。この時間期間を消毒サイクルと呼ぶことがある。消毒サイクルの長さは、タイマ３３０によって設定されてよい。タイマ３３０は、コントローラ３１０に時間情報を送信してよい。コントローラ３１０は、タイマ３３０が消毒サイクルの経過を示すときに、ＵＶ光源３１５の電源をオフにするように構成されてよい。幾つかの実施形態において、タイマ３３０は、予めプログラムされる。幾つかの実施形態において、タイマ３３０は、ユーザによって設定されてよい。
【００２２】
消毒システム３００は、ユーザの手が制御パネルに触れたとき及び／又は制御パネルとディスプレイとの間で動かされたときを検出することがある運動センサ３２０及び／又はタッチセンサ３２５を含んでよい。動きセンサ３２０及び／又はタッチセンサ３２５は、検出した運動及び／又は接触に関する情報をコントローラ３１０に提供してよい。コントローラ３１０は、運動及び／又は接触が検出されるときに、ＵＶ光源３１５の電源がオンになるのを防止してよく、且つ／或いは、ＵＶ光源３１５を停止してよい。これは、ＵＶ光源がユーザ及び／又は患者の皮膚を照らすときに、ＵＶ光源の電源がオンになるのを防止することがある。それは、超音波撮像システムが消毒されているのを超音波撮像システムが示すのを防止することもある。例えば、ユーザがＵＶ光源３１５の消毒サイクルの途中で制御パネルのボタンに触れるならば、ユーザはボタンを汚染することがある。しかしながら、ＵＶ光源３１５は、ユーザが触れた後にボタンを完全に消毒するのに十分な程に長い時間期間に亘ってボタンを照らさないことがある。
【００２３】
運動センサ３２０は、超音波撮像システムのディスプレイ及び／又は制御パネルに含められてよい。例示的な実施形態では、赤外線（ＩＲ）光源がディスプレイに含められてよく、ＩＲ光検出器が制御パネルに含められてよい。ＩＲ光源は、ＩＲ光のビームを検出器に提供することがある。ＩＲ光検出器がビームの中断を検出すると、ＩＲ光検出器は、検出した運動を登録してよい。他の構成及び／又は種類の運動センサが使用されてよい。例示的な実施形態において、タッチセンサ３２５は、超音波撮像システムの制御パネルに含められてよい。タッチセンサ３２５は、制御要素が作動されて生成される電気信号に少なくとも部分的に基づいて、制御要素（例えば、ボタン、スイッチ、ノブ）の作動を検出することがある。タッチセンサ３２５は、ユーザが制御パネルと接触する結果としての制御パネルに亘る変化を検出することがある。他の種類のタッチセンサが使用されてもよい。
【００２４】
コントローラ３１０は、予めプログラムされてよく、且つ／或いは、ユーザによってプログラムされてよい。例えば、ユーザは、超音波撮像システムの制御パネル３０を介して消毒サイクル時間を調節してよい。幾つかの実施形態において、ユーザは、ディスプレイが制御パネルと平行な位置にあるときにはいつでも自動的に消毒サイクルを実行するよう消毒システム３００を設定してよい。他の実施形態において、ユーザは、ディスプレイが特定の時間（例えば、１時間に１回、夜間）にのみ制御パネルと平行な位置にあるときに殺菌サイクルを実行するよう消毒システム３００を設定してよい。
【００２５】
コントローラ３１０は、ユーザインターフェース３５（例えば、超音波撮像システムのディスプレイのスクリーン部分）に情報を提供してよい。この情報は、消毒サイクルの長さ、最後の完全な消毒サイクルの時間、中断された消毒サイクルの時間、消毒状態、及び／又は他の情報を含んでよい。
【００２６】
図４乃至図６は、本開示の少なくとも１つの実施形態に従ったユーザインターフェース４００の例示的なグラフィカルディスプレイの概略図である。ユーザインターフェース４００は、ハードウェア、ソフトウェア、又はそれらの組み合わせによって制御されてよい。例えば、ユーザインターフェース４００は、コントローラ３１０のようなコントローラから情報及び／又は制御信号を受信してよい。幾つかの実施形態において、ユーザインターフェース４００は、超音波撮像システムの１以上のプロセッサから情報及び／又は制御信号を受信してよい。１以上のプロセッサは、非一時的なコンピュータ可読媒体に提供されるソフトウェア指令を実行してよい。例えば、プロセッサは、グラフィカルディスプレイ用のグラフィックを生成し、ユーザインターフェース４００にグラフィックを提供してよい。ユーザインターフェース４００のグラフィカルディスプレイは、消毒システム３００のコントローラ３１０のような消毒システムのコントローラから受信する情報に応答してよい。ユーザインターフェース４００のグラフィカルディスプレイは、超音波撮像システムのディスプレイに示されてよい。
【００２７】
図４は、超音波撮像システムが成功裡に消毒されたことを示す例示的なグラフィック４０５を示している。グラフィック４０５は、システムが消毒されたことを示すアイコン４２０及び文字（テキスト）４１０、及び／又は消毒の時間及び／又は日付４１５を含んでよい。グラフィック４０５は、ユーザが、消毒サイクルが完了したこと、消毒サイクルが完了したとき、及びシステムが今や消毒されていると考えられることを確認するのに役立つことがある。グラフィック４０５は、ユーザがコントロールパネルに触れるまで及び／又は試験を開始するまで、超音波撮像システムのディスプレイに示されてよい。
【００２８】
図５は、超音波撮像システムの消毒が中断されたことを示す例示的なグラフィック５０５を示している。グラフィック５０５は、システムが消毒されていないことを示すアイコン５２０、文字５１０、及び／又は中断の時間及び／又は日付５１５を含んでよい。グラフィック５０５は、ユーザが、消毒サイクルが完了していないこと、及びシステムが消毒されたと考えられる前に他の消毒サイクルが実行される必要があることを理解するのに役立つことがある。グラフィック５０５は、ユーザがコントロールパネルに触れるまで及び／又は試験を開始するまで、超音波撮像システムのディスプレイに示されてよい。
【００２９】
図４及び図５に示すグラフィック４０５及び５０５は、一般的に、ユーザインターフェース４００のグラフィックディスプレイの底部分に配置される。グラフィック４０５は、ユーザインターフェース４００のグラフィカルディスプレイの他の部分に配置されてよい。例えば、幾つかの実施形態において、グラフィック４０５は、一般的に、ユーザインターフェース４００のグラフィカルディスプレイの上方部分に配置されてよい。他の実施形態において、グラフィック４０５は、ユーザインターフェース４００のグラフィカルディスプレイの右部分又は左部分のいずれかに配置されてよい。
【００３０】
図６は、消毒ログを提供してよい過去の消毒を示す例示的なグラフィック６０５を示している。グラフィック６０５は、過去の消毒の時間及び日付を含んでよい。グラフィック６０５は、ユーザが、例えば、最後の消毒サイクルが行われたときの消毒サイクルの頻度並びに超音波撮像システムの消毒に関連する他の情報の履歴的な理解を提供するのに役立つことがある。幾つかの実施形態において、グラフィック６０５は、完了した消毒サイクルに加えて、中断した消毒サイクルを含んでよい。グラフィック６０５は、ユーザが制御パネルに触れるまで及び／又は試験を開始するまで、超音波撮像システムのディスプレイに示されてよい。幾つかの実施形態において、ユーザは、制御パネルを通じてユーザインターフェース４００を通じてグラフィック６０５にアクセスしてよい。図６に示すグラフィック６０５は、一般的に、ユーザインターフェース４００のグラフィカルディスプレイの右上部分に配置される。グラフィック６０５は、ユーザインターフェース４００のグラフィカルディスプレイの他の部分に配置されてよい。例えば、幾つかの実施形態において、グラフィック６０５は、一般的に、ユーザインターフェース４００のグラフィカルディスプレイの左上部分に配置されてよい。他の実施形態において、グラフィック６０５は、ユーザインターフェース４００の右下部分又は左下部分のいずれかに配置されてよい。
【００３１】
図４乃至図６は、ユーザインターフェースの例示的なディスプレイとして提供されている。本開示の原理から逸脱することなく、他の文字、色、形状、及び／又は情報が、ユーザインターフェース４００によって提供されてよい。
【００３２】
図７は、本開示の少なくとも１つの実施形態に従った方法７００のフローチャートである。方法７００は、図３の消毒システム３００のような超音波撮像システムの消毒システムによって実行されてよい。ブロック７０５で、消毒システムは、（例えば、制御パネルと平行な）消毒位置においてディスプレイを検出することがある。ブロック７１０で、消毒システムは、ＵＶ光源を点けてよい。次に、消毒システムは、ブロック７１５で、消毒サイクル時間に亘ってタイマを作動させてよい。幾つかの実施形態において、ブロック７１０及びブロック７１５は、同時に開始させられてよい。消毒サイクル時間が完了した後、消毒システムは、ブロック７２０で、ＵＶ光源を消してよい。ブロック７２５で、消毒システムは、消毒された表示(disinfected  indicator)をユーザインターフェースに送信してよい。その表示に応答して、ユーザインターフェースは、超音波撮像システムが消毒されたことを示すグラフィックを表示してよい。ブロック７３０で、消毒システムは、ディスプレイの動き、制御パネルに対するタッチ（接触）、及び／又は超音波撮像システムの部分を検出してよい。次に、消毒システムは、ブロック７３５でユーザインターフェースに表示を送信して、超音波撮像システムが消毒されたことを示すグラフィックを表示するのを停止させてよい。
【００３３】
図８は、本開示の少なくとも１つの実施形態に従った方法８００のフローチャートである。方法８００は、図３の消毒システム３００のような超音波撮像システムの消毒システムによって実行されてよい。ブロック８０５で、消毒システムは、（例えば、制御パネルと平行な）消毒位置においてディスプレイを検出することがある。ブロック８１０で、消毒システムは、ＵＶ光源を点けてよい。次に、消毒システムは、ブロック８１５で、タイマを作動させてよい。幾つかの実施形態において、ブロック８１０及びブロック８１５は同時に開始させられてよい。ブロック８２０で、消毒システムは、ブロック８１５で開始されたタイマの終了前に、フラットパネルディスプレイの動き、制御パネルに対するタッチ、及び／又は超音波撮像システムの部分を検出してよい。次に、消毒システムは、ブロック８２５で、ＵＶ光源を消し、ブロック８３０で、消毒サイクルが中断されたという表示をユーザインターフェースに送信する。その表示に応答して、ユーザインターフェースは、超音波撮像システムが消毒されていないことを示すグラフィックを表示してよい。ブロック８３５で、消毒システムは、ユーザからの入力を検出してよい。幾つかの実施形態において、入力は、制御パネル及び／又は超音波撮像システムの部分に対する検出されたタッチであってよい。幾つかの実施形態において、ユーザからの入力は、超音波撮像システムが消毒されていないことを示すグラフィックを見ていることを確認するためにユーザインターフェースに提供される入力であってよい。幾つかの実施形態において、ユーザからの入力は、超音波検査を開始することであってよい。次に、消毒システムは、ブロック８４０でユーザインターフェースに表示を送信して、超音波撮像システムが消毒されていないことを示すグラフィックを表示するのを停止させてよい。代替的に、消毒システムは、ユーザインターフェースに表示を送信して、設定した時間期間（例えば、５分、１時間）の後にグラフィックを表示するのを停止してよい。
【００３４】
消毒システムを含む超音波システムは、任意的に、追加的な構成を含んでよい。例えば、カーテンがディスプレイの周囲に連結されてよい。カーテンはディスプレイを取り囲み、ディスプレイが制御パネルと平行であるときに、制御パネルを見えないようにすることがある。カーテンは、ＵＶ光が制御パネルから室内の他の表面（例えば、患者の目及び皮膚、ＵＶ感受性デバイス、ＵＶ感受性薬剤）に反射するのを減少させ或いは排除することがある。幾つかの実施形態において、ディスプレイは、縁又は裏面にインジケータを含んでよい。インジケータは、超音波撮像システムの消毒状態を示してよい。例えば、ＬＥＤがディスプレイの縁又は裏面に含められてよい。ＬＥＤは、消毒中は赤色、消毒後は緑色、中断した消毒サイクル後は黄色で表示されてよい。これはユーザがディスプレイに触れることなく消毒状態を決定するのを可能にする。幾つかの実施形態において、超音波撮像システムは、消毒状態に基づいて可聴信号を提供してよい。幾つかの実施形態において、超音波撮像システムは、消毒状態及び／又は他の情報（例えば、消毒ログ）を外部コンピュータシステムに提供してよい。例えば、病院は、病院内の医療デバイスの消毒状態を追跡するコンピュータシステムを有してよい。情報は、イーサネット（登録商標）ケーブル及び／又は他の方法を介して無線で送信されてよい。
【００３５】
超音波撮像システムを参照して本システムを記載したが、本システムは他の撮像システム及び医療デバイスに拡張されてよい。更に、本システムは、非超音波システムが本システムの構成及び利点を提供することがあるように、非超音波撮像システムと共に使用されてよい、１以上の要素を含んでもよい。
【００３６】
更に、本方法、システム及び装置は、例えば、超音波撮像システムのような既存の撮像システムに適用されてよい。適切な超音波撮像システムは、例えば、小部品撮像(small-parts  imaging)に適することがある従来的な広帯域リニアアレイトランスデューサをサポートすることがあるPhillips（登録商標）超音波システムを含んでよい。
【００３７】
本発明の特定の追加的な利点及び構成は、本開示を研究した後に当業者に明らかなことがあり、或いは、本発明の新規のシステム及び方法を利用する人によって経験されることがあり、そのうちの主要なものは超音波システムのＵＶ消毒であり、その動作方法が提供される。本システム及び方法の他の利点は、従来的な医療撮像システムをアップグレードさせて、本システム、デバイス及び方法の構成及び利点を組み込んでよいことである。
【００３８】
当然のことながら、上記実施形態又はプロセスのいずれか１つは、１以上の他の実施形態及び／又はプロセスと組み合わせられてよく、或いは、本システム、デバイス及び方法に従った別個のデバイス又はデバイス部分の間で分離され且つ／或いは実行されてよい。
【００３９】
最後に、上記議論は、本システムの単なる例示であることが意図されており、添付の請求項を如何なる特定の実施形態又は実施形態群に限定するものと解釈されてならない。よって、例示的な実施形態を参照して特に詳細に本発明を記載しているが、数多くの修正及び代替的な実施形態が、後続の請求項に示すような本システムのより広範な意図された精神及び範囲から逸脱することなく、当業者によって考案される場合があることも理解されるべきである。従って、明細書及び図面は例示的な方法において考察されるべきであり、添付の請求項の範囲を限定することは意図されていない。
【図１】
2018528000.tif 000003
【図２】
2018528000.tif 000004
【図３】
2018528000.tif 000005
【図４】
2018528000.tif 000006
【図５】
2018528000.tif 000007
【図６】
2018528000.tif 000008
【図７】
2018528000.tif 000009
【図８】
2018528000.tif 000010
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
ディスプレイと、
制御パネルと、
前記ディスプレイに連結され、制御信号に応答して電源がオンになるように構成される、紫外線（ＵＶ）光源と、
前記ディスプレイに連結され、前記ディスプレイを位置付けるように構成される、関節作動システムと、
前記ＵＶ光源に連結されるコントローラとを含み、
該コントローラは、前記制御信号を提供して、前記ディスプレイが消毒位置に位置付けられていることに応答して前記ＵＶ光源の電源をオンにするように構成され、
前記コントローラは、前記ディスプレイが前記消毒位置にある間の前記制御パネルと前記ディスプレイとの間の物体の検出に応答して、前記ＵＶ光源が照明するのを防止するように構成され或いは前記ＵＶ光源の電源をオフにするように構成される、
超音波システム。
【請求項２】
前記コントローラに連結される位置センサを更に含み、該位置センサは、前記ディスプレイの位置情報を前記コントローラに提供するように構成される、請求項１に記載の超音波システム。
【請求項３】
前記消毒位置は、前記制御パネルと平行であり、前記制御パネルの上にある、請求項１に記載の超音波システム。
【請求項４】
前記コントローラに連結される運動センサを更に含み、該運動センサは、前記制御パネルと前記ディスプレイとの間の前記物体の動きを検出するように構成され、
前記コントローラは、前記運動センサが前記動きを検出するときに、制御信号を提供して、前記ＵＶ光源の電源をオフにするように構成される、
請求項１に記載の超音波システム。
【請求項５】
前記コントローラに連結されるタッチセンサを更に含み、該タッチセンサは、前記制御パネルに対するタッチを検出するように構成され、
前記コントローラは、前記タッチセンサが前記タッチを検出するときに、制御信号を提供して、前記ＵＶ光源の電源をオフにするように構成される、
請求項１に記載の超音波システム。
【請求項６】
前記コントローラに連結されるタイマを更に含み、該タイマは、消毒サイクルの長さを設定するように構成され、
前記コントローラは、前記消毒サイクルの完了に先立ち前記制御パネルと前記ディスプレイとの間の物体の検出がない限り、前記消毒サイクルの完了後に、制御信号を提供して、前記ＵＶ光源の電源をオフにするように更に構成される、
請求項１に記載の超音波システム。
【請求項７】
前記ディスプレイにグラフィックを提供するように構成されるユーザインターフェースを更に含む、請求項１に記載の超音波システム。
【請求項８】
前記コントローラは、前記ユーザインターフェースに消毒状態を提供するように更に構成され、前記ディスプレイに提供される前記グラフィックは、少なくとも部分的に前記消毒状態に基づく、請求項８に記載の超音波システム。
【請求項９】
前記制御パネルの上に第２のＵＶ光源を更に含む、請求項１に記載の超音波システム。
【請求項１０】
前記ＵＶ光源は、ＬＥＤである、請求項１に記載の超音波システム。
【請求項１１】
前記制御パネルに隣接する器具ホルダを更に含み、該器具ホルダは、該器具ホルダの内部を照らすように構成される第２のＵＶ光源を含む、請求項１に記載の超音波システム。
【請求項１２】
前記制御パネルは、
キーボードと、
該キーボードと一体化されるトラックボールと、
前記キーボードの下の第２のＵＶ光源とを含み、該第２のＵＶ光源は、前記トラックボールを照らすように構成される、
請求項１に記載の超音波システム。
【請求項１３】
前記ＵＶ光源は、前記ディスプレイの周囲の周りに配置される複数のＵＶ光源のうちの１つである、請求項１に記載の超音波システム。
【請求項１４】
前記ＵＶ光源は、前記ディスプレイのスクリーン部分に埋め込まれる複数のＵＶ光源のうちの１つである、請求項１に記載の超音波システム。
【請求項１５】
前記ユーザインターフェースは、前記ユーザが前記制御パネルに触れるまで及び／又は検査を開始するまで、前記グラフィックを表示するように構成される、請求項１に記載の超音波システム。
【国際調査報告】
2018528000.tif 000011
2018528000.tif 000012
2018528000.tif 000013